(57)【特許請求の範囲】
【請求項１】
ガスの流量パターンに基づいて特定のガス器具の使用／不使用を判定するための機能を備えたガスメータであって、該ガスメータは、予め用意された判別アルゴリズムを記憶し、該ガスメータに流れるガスの流量パターンを前記判定アルゴリズムを用いて解析することにより前記ガス器具の使用／不使用を判定する判定手段を有するガスメータにおいて、該ガスメータは、前記判定アルゴリズムにおける前記特定のガス器具の使用／不使用を判定する判定条件のパラメータの一つとして、前記特定のガス器具の最大ガス流量Ｌ２を保持し、前記判定アルゴリズムは、所定の測定点におけるガス流量が前記Ｌ２になった場合、前記特定のガス器具の使用が開始されたものと判定し、該判定した開始点の時刻ｔ０を前記ガスメータが備えるメータ計量部のメモリに記憶することを特徴とするガスメータ。
【請求項２】
請求項１に記載のガスメータにおいて、該ガスメータは、前記判定アルゴリズムにおける前記特定のガス器具の使用／不使用を判定する判定条件のパラメータの一つとして、前記特定のガス器具の最小ガス流量Ｌ１を保持し、前記判定アルゴリズムは、所定の測定点におけるガス流量が前記Ｌ１未満になった場合、前記特定のガス器具の使用が停止されたものと判定し、該判定した停止点の時刻ｔ１を前記ガスメータが備えるメータ計量部のメモリに記憶することを特徴とするガスメータ。
【請求項３】
請求項１または２に記載のガスメータにおいて、該ガスメータは、前記判定アルゴリズムにおける前記特定のガス器具の使用／不使用を判定する判定条件のパラメータの一部として、前記特定のガス器具の最小ガス流量Ｌ１及びガス器具の使用停止判定用の時間設定値Ｔ１を保持し、前記判定アルゴリズムは、所定の測定点におけるガス流量が連続して前記Ｌ１未満である時間が前記Ｔ１以上である場合に、前記特定のガス器具の使用が停止したものと判定し、該判定した停止点における時刻ｔ１を前記メータが備えるメータ計量部のメモリに記憶することを特徴とするガスメータ。
【請求項４】
請求項２または３に記載のガスメータにおいて、該ガスメータは、前記判定アルゴリズムにおける前記特定のガス器具の使用／不使用を判定する判定条件のパラメータの一つとして、器具使用停止判断用の時間設定値Ｔ２を保持し、前記判定アルゴリズムは、前記メータ計量部のメモリに記憶した時刻ｔ０とｔ１の差より算出した使用中判定期間ｔ１−ｔ０が前記Ｔ２未満の場合に、該使用中判定期間における前記特定の器具の使用量計算値を無効として別積算しないことを特徴とするガスメータ。
【請求項５】
請求項２ないし４のいずれか１に記載のガスメータにおいて、前記判定アルゴリズムにおける前記特定のガス器具の使用／不使用を判定する判定条件のパラメータの一つとして、ガス使用量が前記Ｌ２より大きい場合のみなし使用量Ｌを保持し、前記判定アルゴリズムは、前記使用中判定期間ｔ１−ｔ０のうち、ガス流量が前記Ｌ２以下の期間についてはその期間の全ガス使用量を前記特定のガス器具による使用量として別積算し、前記Ｌ２より大きい期間は、該期間の前記特定のガス器具のガス使用量が前記Ｌであるものとして別積算することを特徴とするガスメータ。
【請求項６】
請求項１ないし５のいずれか１に記載のガスメータにおいて、前記判定手段の機能の有効／無効を所定の設定手段にて設定することができることを特徴とするガスメータ。
【請求項７】
請求項６に記載のガスメータにおいて、該ガスメータはカレンダ機能を内蔵し、前記判定手段の機能を無効にする期間を所定の設定手段によって設定できるようにしたことを特徴とするガスメータ。
【請求項８】
請求項１ないし７のいずれか１に記載のガスメータにおいて、前記判定条件のパラメータを、所定の設定手段によって設定できるようにしたことを特徴とするガスメータ。
【発明の詳細な説明】
【０００１】
【発明が属する技術分野】
本発明は、ガスメータ、より詳細には、単位使用量当たりの料金が異なる特殊料金のガス器具が混在するガス流路において、上記特殊料金のガス器具のガス使用量と、規定料金のガス器具のガス使用量とを単一のメータのメモリに格納可能とした流量別積算ガスメータに関する。
【０００２】
【従来の技術】
電気、灯油、ガスにおけるエネルギー競争において、例えば暖房、冷房には灯油や電気が多く用いられ、ガスが占めるシェアは小さい。エネルギー競争に優位に立つためには、ガスのコストを下げる必要があるが、コストを下げるにはガスの使用量を増大させることが有効である。
【０００３】
上述のごとき問題に対して、それぞれガス消費量が異なるガス器具別にガス料金を設定するシステムが考えられている。上述したように、冷暖房器具におけるエネルギーシェアは、灯油及び電気が高いため、このような器具に限ってガス料金を値引きするような料金体系をもつことにより、競争力が増してガス使用量が高まることが期待できる。すなわち、各ガス器具別に異なる料金体系を設定できるようにすることにより、ユーザへのサービスも多様化でき、また特定のガス器具を販売するための販売戦略とすることもでき、これによりガス器具の普及を図るとともに、ガスの使用量の増大を期待することができる。
【０００４】
すなわち、上記のごとくにガス器具別にガス料金を設定するためには、例えば、通常料金を設定しようとするガス器具群と、値引き料金を設定しようとするガス器具とのガス使用量を分けて算出する必要がある。図９は、従来のガスメータと使用器具の構成例を概念的に示す図で、図中、２１はガスメータ、２２はガステーブル、２３はガスファンヒータ、ｆはガスの流れである。従来は、単一のガスメータ２１に複数のガス器具が接続されてガスが流れるような場合に、当該ガスメータでは、使用されているガス器具全体の合計使用量しか積算できず、ある特定の流量のガス器具（例えば、ガスファンヒータ２３）のガス使用量だけを積算することはできなかった。従って、ガス器具ごとにガス使用量を分けて算出するには、例えば各ガス器具に対する配管毎に複数のメータを設置しなければならず、そのための費用がかかってしまい、総体的なコスト低下につながりにくい。
【０００５】
【発明が解決使用とする課題】
本発明は、上述のごとき実情に鑑みてなされたものであり、ガスメータに流れるガスの流量パターンを、当該ガスメータが有する判定アルゴリズムによって判定することにより、ある特定の流量のガス器具の使用量のみを別積算するための手段を有するガスメータを提供することを目的とするものである。
【０００６】
【課題を解決するための手段】
請求項１の発明は、ガスの流量パターンに基づいて特定のガス器具の使用／不使用を判定するための機能を備えたガスメータであって、該ガスメータは、予め用意された判別アルゴリズムを記憶し、該ガスメータに流れるガスの流量パターンを前記判定アルゴリズムを用いて解析することにより前記ガス器具の使用／不使用を判定する判定手段を有するガスメータにおいて、該ガスメータは、前記判定アルゴリズムにおける前記特定のガス器具の使用／不使用を判定する判定条件のパラメータの一つとして、前記特定のガス器具の最大ガス流量Ｌ２を保持し、前記判定アルゴリズムは、所定の測定点におけるガス流量が前記Ｌ２になった場合、前記特定のガス器具の使用が開始されたものと判定し、該判定した開始点の時刻ｔ０を前記ガスメータが備えるメータ計量部のメモリに記憶することを特徴としたものである。
【０００７】
請求項２の発明は、請求項１の発明において、該ガスメータは、前記判定アルゴリズムにおける前記特定のガス器具の使用／不使用を判定する判定条件のパラメータの一つとして、前記特定のガス器具の最小ガス流量Ｌ１を保持し、前記判定アルゴリズムは、所定の測定点におけるガス流量が前記Ｌ１未満になった場合、前記特定のガス器具の使用が停止されたものと判定し、該判定した停止点の時刻ｔ１を前記ガスメータが備えるメータ計量部のメモリに記憶することを特徴としたものである。
【０００８】
請求項３の発明は、請求項１または２の発明において、該ガスメータは、前記判定アルゴリズムにおける前記特定のガス器具の使用／不使用を判定する判定条件のパラメータの一部として、前記特定のガス器具の最小ガス流量Ｌ１及びガス器具の使用停止判定用の時間設定値Ｔ１を保持し、前記判定アルゴリズムは、所定の測定点におけるガス流量が連続して前記Ｌ１未満である時間が前記Ｔ１以上である場合に、前記特定のガス器具の使用が停止したものと判定し、該判定した停止点における時刻ｔ１を前記メータが備えるメータ計量部のメモリに記憶することを特徴としたものである。
【０００９】
請求項４の発明は、請求項２または３の発明において、該ガスメータは、前記判定アルゴリズムにおける前記特定のガス器具の使用／不使用を判定する判定条件のパラメータの一つとして、器具使用停止判断用の時間設定値Ｔ２を保持し、前記判定アルゴリズムは、前記メータ計量部のメモリに記憶した時刻ｔ０とｔ１の差より算出した使用中判定期間ｔ１−ｔ０が前記Ｔ２未満の場合に、該使用中判定期間における前記特定の器具の使用量計算値を無効として別積算しないことを特徴としたものである。
【００１０】
請求項５の発明は、請求項２ないし４のいずれか１の発明において、前記判定アルゴリズムにおける前記特定のガス器具の使用／不使用を判定する判定条件のパラメータの一つとして、ガス使用量が前記Ｌ２より大きい場合のみなし使用量Ｌを保持し、前記判定アルゴリズムは、前記使用中判定期間ｔ１−ｔ０のうち、ガス流量が前記Ｌ２以下の期間についてはその期間の全ガス使用量を前記特定のガス器具による使用量として別積算し、前記Ｌ２より大きい期間は、該期間の前記特定のガス器具のガス使用量が前記Ｌであるものとして別積算することを特徴としたものである。
【００１１】
請求項６の発明は、請求項１ないし５のいずれか１の発明において、前記判定手段の機能の有効／無効を所定の設定手段にて設定することができることを特徴としたものである。
【００１２】
請求項７の発明は、請求項６の発明において、該ガスメータはカレンダ機能を内蔵し、前記判定手段の機能を無効にする期間を所定の設定手段によって設定できるようにしたことを特徴としたものである。
【００１３】
請求項８の発明は、請求項１ないし７のいずれか１の発明において、前記判定条件のパラメータを、所定の設定手段によって設定できるようにしたことを特徴としたものである。
【００１４】
【発明の実施の形態】
本発明のガスメータによれば、例えば、ガス小売業者がある特定の器具の利用促進のために、その器具の使用量分に割引料金を適用できるなど、使用者への多様なサービスの実現を可能とすることができる。また、流量判別アルゴリズムにおける判別条件のパラメータ、器具別流量判別機能の動作／非動作、該機能の有無、及び該機能を動作状態とする期間、を設定器等の設定手段によってガスメータに設定できるようにすることにより、多様な流量パターンのガス器具に対応することができ、例えば、対象器具が接続されていなかったり季節によって対象器具が使用されていない場合に、対象器具の使用量が誤積算されないようにすることができる。
【００１５】
図１は、本発明によるガスメータの一実施形態における構成を説明するためのブロック図である。ガスメータ１は制御部１０を有し、この制御部１０は、電池１１、タイマカウンタ１２、マイクロコンピュータ１３、内部データ格納用のＲＡＭ１４、インターフェース１５、及び流量センサ１６を備えている。
【００１６】
流量センサ１６としては、リードスイッチ、または、磁気センサ等が用いられ、ガスが流れるとそのガス流量に応じたパルス信号を発生し、インターフェース１５を介してマイクロコンピュータ１３に取り込まれ、取り込まれたパルス信号データは演算され、流量その他のデータとしてＲＡＭ１４に格納される。また入力装置２より流量その他の演算のための設定値がインターフェース１５を介してマイクロコンピュータ１３に取り込まれ、取り込まれた設定値はＲＡＭ１４に格納される。
【００１７】
図２は、ガスメータの流量計測方法について説明するための図である。なお、以下に説明する実施例において、ガス流量は基本的に単位流量（例えば、ｌ／ｈ）を表すものとする。ガスメータは、流量センサが生成した信号パルス（流量パルス）の入力時を起点として、タイマカウンタ１２により経過時間を計測し、予め定めたＴ秒経過した後、次の最初のパルス入力までの時間ｔ秒を測定し、これによって流量（Ｑ）を求める。上記Ｔは、例えばマイコンガスメータの場合は１５秒として設定される。この流量計測は継続して行っていて、ＲＡＭ１４には、前々回の流量計測値（Ｑi-2）、前回の流量計測値（Ｑi-1）、今回値（Ｑ）までが記憶されている。
【００１８】
流用計測の計算式は以下のようになる。
Ｑ（ｌ／ｈ）＝Ｖ×Ｎ×３６００÷ｔ
ここで、Ｖ：１パルスの重み
Ｎ：ｔ秒間の入力パルス数
ｔ：Ｔ秒を経過して次ぎのパルス入力までの時間（ｔ＝Ｔ秒＋α）
【００１９】
以下に示す実施例では、ガスファンヒータを対象器具としてその使用量を別積算するようにしたガスメータについて説明する。図３は、ガスファンヒータの時間毎の流量変化の一例を示すグラフである。図３に示すガス流量の変化パターンからガスファンヒータの流量について以下のようなことがいえる。
【００２０】
（ａ）ガスファンヒータの起動時は、そのガスファンヒータの最大流量のガスが流れる。
（ｂ）ガスファンヒータの流量は、あるレベルの流量以下には下がらない。
（ｃ）ガスファンヒータの流量は、あるレベルの流量以上には上がらない。
（ｄ）他のガス器具に比べてガスファンヒータは長時間使用されることが多い。
【００２１】
上記（ａ）〜（ｄ）のガスファンヒータの特徴より、以下のようなことがいえる。
（１）上記（ｂ）及び（ｄ）より、ガスファンヒータの最小流量Ｌ１以上の流量が所定の時間（使用判定時間）Ｔ２以上流れていれば、ガスファンヒータが使用されていると想定できる。
（２）上記（ａ）より、“増加流量”がガスファンヒータの最大流量Ｌ２であればガスファンヒータの使用が開始された可能性がある。なお、上記の増加流量の定義については後述する。
（３）上記（ｃ）より、上記流量計測法によって計測した流量Ｑがガスファンヒータの最大流量Ｌ２であればガスファンヒータが使用中である可能性が高い。
【００２２】
図４は、上記増加流量の演算方法について説明するための図である。増加流量に関しては、前述した流量計測方法に従って今回求めた流量Ｑiと前回求めた流量Ｑi-1の流量比較を行い、両者に一定以上の差があった場合「流量変化有り」と判定し、次回求める流量−前回求めた流量（＝Ｑi+1−Ｑi-1）の演算を行ってこれを増加流量とする。例えば図４において、Ｑ1で流量変化有りと判定した場合に、Ｑi+1−Ｑi-1＝５００−０＝５００（ｌ／ｈ）を増加流量値とする。またＱi+2で流量変化有りと判定した場合に、Ｑi+3−Ｑi+1＝１０００−５００＝５００（ｌ／ｈ）を増加流量値とする。
【００２３】
次いで、測定したガス流量の流量パターンからガスファンヒータの使用の有無を判定する方法について説明する。ここでは、上述したガスファンヒータの流量パターンの基本的な認識に基づいて、以下の判定方法によってガスファンヒータの使用及び停止を判定する。
【００２４】
（ガスファンヒータの使用開始の判定）
増加流量がＬ２である場合、もしくは各測定点において測定されたガス流量（以下測定流量Ｑとする）がＬ２になった場合に、ガスファンヒータの使用が開始されたものとして判定し、その時刻ｔ０を記憶する。すなわち、ガスファンヒータの使用開始時には、ガス流量が最大流量Ｌ２にまで増加し、またガスファンヒータのみを使用していれば測定流量Ｑが最大流量Ｌ２に一致する期間が発生するという認識に基づいて、このときをガスファンヒータの使用が開始されたものとして判断する。
【００２５】
（ガスファンヒータの使用停止時刻の判定）
予め停止判定時間Ｔ１を設定しておき、測定流量がＬ１未満となったとき、かつそのＬ１未満である期間がＴ１より大きくなったときに、使用が停止されたものと判定する。この時間Ｔ１は、例えば０〜２５５（分）の範囲で任意に設定できるようにする。通常は時間Ｔ１＝０に設定しておくが、使用中に流量を０にする制御を行うようなガスファンヒータを使用する場合に、このような状態をガスファンヒータの停止として判断しないようにするために、Ｔ１の値を適宜設定する。
Ｔ１＞０とすることで、断続的にガスを使用するガスファンヒータであっても、一時的な停止があっても連続的に使用していると判断するため、後述の使用時間の判定の際に誤ってガスファンヒータ以外の使用であると認識してしまうことを防止する。
【００２６】
（ガスファンヒータの使用時間の判定とガス使用量の算出）
予め使用判定時間Ｔ２、及びみなし流量Ｌを設定しておき、上記の使用開始判定時刻ｔ０から使用停止判定時刻ｔ１の差で表される使用時間ｔ１−ｔ０が、上記使用判定時間Ｔ２より少ない場合、ガスファンヒータが使用されていなかったとものと判断して上記の使用開始判定時刻及び使用停止判定時刻を無効とする。一方、ｔ１−ｔ０がＴ２より大きい場合、ガスファンヒータが使用されていたものと判断して、Ｌ×（ｔ１−ｔ０）をガスファンヒータによるガス使用量として別積算する。これは、ガスファンヒータが他のガス器具に比べて長時間使用されることを前提とし、また流量が例えばガスファンヒータ等の他のガス器具の流量特性と似ていても、使用時間が短ければガスファンヒータではない他のガス器具が使用されているものと考えられるからである。
【００２７】
上記の使用判定時間Ｔ２は、例えば０〜２５５（分）の範囲で任意に設定できるようにする。前述のようにＴ２は、使用時間の短いガスファンヒータ以外のガス器具をガスファンヒータの使用であると誤って認識されるのを防止するために設定するので、本件発明のガスメータの設置される各家庭の使用ガス器具によって適宜Ｔ２を設定することが望ましい。
【００２８】
図５は、上述したごとくの基本判定方式における処理の流れを説明するためのフローチャートである。まずガスの使用による流量別積算機能の実行が開始された際に（ステップＳ１）、対象器具（例えば上記のガスファンヒータ）の使用中フラグがＯＮであるかどうかを判別し（ステップＳ２）、ＯＮでなければ増加流量が最大流量Ｌ２に相当するかどうかを判断し（ステップＳ３）、増加流量がＬ２に相当しなけれれば、測定流量がＬ２に相当するかどうかを判断する（ステップＳ４）。ステップＳ３またはＳ４で増加流量または測定流量がＬ２に相当すれば対象器具の使用中フラグをＯＮにして（ステップＳ５）、このときの使用開始時刻ｔ０を記憶して（ステップＳ６）、ステップＳ２に戻る。
【００２９】
上記のステップＳ２で対象器具の使用中フラグがＯＮである場合には、測定流量が最小流量Ｌ１未満であるかどうかを判断し（ステップＳ７）、Ｌ１未満であれば、そのＬ１未満の期間が停止判定時間Ｔ１より長いかどうかを判断し（ステップＳ８）、Ｔ１より長ければ対象器具使用中のフラグをＯＦＦにして（ステップＳ９）、使用停止時刻ｔ１を記憶する（ステップＳ１０）。そしてｔ１−ｔ０が使用判定時間Ｔ２より大きいかどうかを判断して（ステップＳ１１）、大きければ対象器具は実際に使用されていたものと判断してガスの使用量を演算し（ステップＳ１２）、少なければ対象器具は実際に使用されていなかったものとしてこの期間の使用量を演算せず、そのままステップＳ２に戻る。
【００３０】
ステップＳ７で測定流量がＬ１以上であれば、対象器具が使用中であるものとしてステップＳ２へ戻り、再びステップＳ７で使用が停止されたかどうかの判定を行う。また同様にステップＳ８でＬ１未満の期間がＴ１以下であれば、対象器具は使用中であるものとしてステップＳ２へ戻る。
【００３１】
図６は、上記ステップＳ１２のガスの使用量の演算についてさらに詳しく説明するための図である。上記ガスの使用量の演算において、ガスファンヒータが使用されていると判定された範囲において、測定流量がガスファンヒータの最大流量Ｌ２以下の区間（図６における区間Ｐ１）については、その期間の全ガス使用量をガスファンヒータの使用量として別積算し、また測定流量がＬ２より大きい区間（図６における区間Ｐ２）については、当該区間の単位流量をガスファンヒータの平均的ガス使用量であるみなし流量Ｌとして算出し、別積算する。
【００３２】
図７は、器具別流量計測機能を実現する判別アルゴリズムの初期値設定を行うときの処理の流れを説明するためのフローチャートである。まず使用開始判定条件として、最大値（最大流量）Ｌ２の設定を行う。このときＬ２は、区分または流量範囲として設定することもできる。次に使用停止判定条件として、最小値（最小流量）Ｌ１の設定を行う（ステップＳ２２）。このときＬ１は、区分または流量範囲として設定することもできる。
【００３３】
次いで、対象のガス器具（ここではガスファンヒータ）について使用中にガス流量をゼロにする制御があるかどうかを確認し（ステップＳ２３）、ゼロにする制御がなければ停止判定時間Ｔ１を０に設定し（ステップＳ２７）、またゼロにする制御があれば停止判定時間Ｔ１を適宜設定する（ステップＳ２４）。次に使用時間判定条件として、使用判定時間Ｔ２を設定し（ステップＳ２５）さらに積算値計算条件としてみなし流量値Ｌを設定する（ステップＳ２６）。
【００３４】
なお、上記流量設定値Ｌ１，Ｌ２は特定の値をそれぞれ設定するが、これら特定の値を含むある所定の範囲（区分または流用範囲）の値をＬ１，Ｌ２とみなすものとして設定してもよい。
【００３５】
図８は、流量別積算機能を実現する判別アルゴリズムの機能または判定条件を設定するための設定手段について説明するための図である。本発明によるガスメータは、器具別流量積算機能を実行することにより判定した対象器具の使用量を、ガスメータに流れる全体のガス使用量とは別に積算してメータ計量部のメモリに記憶させる。この記憶させたデータ内容を、図８に示すように設定器２’等により読み出したり、ガスメータ１の表示部１ａに表示させることができる。
【００３６】
また、本発明のガスメータは、器具別流量判定機能の有効／無効を、設定器２’によって選択することができる。また前述のごとくに説明した器具別流量判定機能における使用量判別アルゴリズムの判定条件のパラメータ（Ｌ１，Ｌ２，Ｔ，Ｔ１等）を、図８のように設定器２’によってガスメータに設定することができる。
【００３７】
また、対象器具の使用量判定機能が無効になる期間を設定器２’によって任意にガスメータに設定することができ、ガスメータの内部に内臓したカレンダ機能を用いて設定した機能を実行する。例えば、ガスファンヒータのような暖房器具を使用する冬季以外の期間は、対象器具の器具別流量積算機能が無効になるように設定することができる。
また、上記の設定器２’の変わりにマグネットスイッチ等を用いるようにしてもよい。
【００３８】
【発明の効果】
以上説明したように、本発明によれば、ガスメータに流れるガス流量パターンをメータの有する判別アルゴリズムによって対象ガス器具の使用の有無を判別することにより、ある特定の流量のガス器具の使用量のみを別積算することができるようになり、さらにその値を表示させたり設定器等によって読み出すことが可能となる。このような機能により、例えばガス小売業者がある特定のガス器具の利用促進を図るために、そのガス器具の使用量分に割引料金を適用できるなど、使用者への多様なサービスの実現が可能となる。
【００３９】
また本発明によれば、器具別流量積算機能の有効／無効を設定器等によってメータに設定することができ、これによって例えば対象ガス器具が接続されていないガスメータにおいて、対象ガス器具と判断された使用量が誤積算されないようにすることができる。
【００４０】
また本発明によれば、判別アルゴリズムの判定条件のパラメータを設定器等によってガスメータに設定することができ、これによって多様な流量パターンのガス器具に対応することができる。
【００４１】
また本発明によれば、器具別流量積算機能が有効となる期間を設定器等によって設定することができ、これにより例えば夏季はガスファンヒータを使用しない場合など、季節によって対象ガス器具が使用されていないときでも対象ガス器具の使用量が誤積算されないようにすることができる。
【００４２】
【図面の簡単な説明】
【図１】  本発明によるガスメータの一実施形態における構成を説明するためのブロック図である。
【図２】  ガスメータの流量計測方法について説明するための図である。
【図３】  ガスファンヒータの時間毎の流量変化の一例を示すグラフである。
【図４】  増加流量の演算方法について説明するための図である。
【図５】  基本判定方式における処理の流れを説明するためのフローチャートである。
【図６】  ステップＳ１２のガスの使用量の演算についてさらに詳しく説明するための図である。
【図７】  器具別流量計測機能を実現する判別アルゴリズムの初期値設定を行うときの処理の流れを説明するためのフローチャートである。
【図８】  流量別積算機能を実現する判別アルゴリズムの機能または判定条件を設定するための設定手段について説明するための図である。
【図９】  従来のガスメータと使用器具の構成例を概念的に示す図である。
【符号の説明】
１…ガスメータ、１ａ…表示部、２…入力装置、２’…設定器、１０…制御部、１１…電池、１２…タイマカウンタ、１３…マイクロコンピュータ、１４…ＲＡＭ、１５…インタフェース、１６…流量センサ、２１…ガスメータ、２２…ガステーブル、２３…ガスファンヒータ。
【図１】
0004879393.tif 000002
【図２】
0004879393.tif 000003
【図３】
0004879393.tif 000004
【図４】
0004879393.tif 000005
【図５】
0004879393.tif 000006
【図６】
0004879393.tif 000007
【図７】
0004879393.tif 000008
【図８】
0004879393.tif 000009
【図９】
0004879393.tif 000010